(57)【要約】【課題】組立工数や製造コストを抑えながら、プッシュ方式およびシーソー方式の押圧操作装置を択一的に構築する。【解決手段】シーソーボタン１０と押圧ボタン２０との何れも択一的に保持することが可能なスイッチケース４０。スイッチケース４０は、押圧ボタン２０の被保持部２６を囲んだ状態で保持する枠体４２と、この枠体４２の対向壁部４４ｂから内向きに延びる一対の軸部４６とを備え、これら枠部４２と軸部４６とが一体に成型されている。枠部４２は、押圧ボタン２０の被保持部２６を中間溝２７（中間位置）より両側に外れた位置で保持しつつ押圧操作に応じてその押圧操作の方向にスライドさせることが可能に形成され、軸部４６は、枠体４２に前記被保持部２６が挿入されたときに前記中間溝２７に対応する位置に設けられ、かつ、シーソーボタン１０の被支持部１６（軸孔１６ａ）に挿入されることで、枠体４２にシーソーボタン１０を回動可能に支持する。【選択図】図２
2013012373.tif 000002
【特許請求の範囲】
【請求項１】
特定方向の両端部が選択的に押圧操作を受けるシーソーボタン操作部と、前記特定方向と直交するボタン幅方向に互いに離間する位置でそれぞれ当該シーソーボタン操作部から前記押圧操作の方向に延びる一対の回動支持部とを備え、これら回動支持部に当該回動支持部を支持するための支持軸を挿入可能な軸孔が形成されたシーソーボタンと、押圧操作を受ける押圧ボタン操作部と、この押圧ボタン操作部から前記押圧操作の方向に延び、前記押圧操作の方向と直交する方向における中間位置より両側に外れた位置で前記押圧操作の方向にスライド可能となるように保持されることが可能なスライド支持部とを備える押圧ボタンの何れも択一的に保持することが可能な形状を有し、前記シーソーボタン又は前記押圧ボタンとともに押圧操作装置を構成するスイッチケースであって、
前記押圧ボタンの前記スライド支持部を囲んだ状態で保持する枠部と、
この枠部の互いに対向する壁部から内向きに延びる一対の支持軸とを備え、これら枠部と一対の支持軸とが一体に成型されており、
前記枠部は、その内側に前記押圧ボタンのスライド支持部が挿入されることで、当該スライド支持部の前記中間位置より両側に外れた位置でそれぞれ当該スライド支持部を保持しつつ前記押圧操作に応じてその押圧操作の方向にスライドさせることが可能に形成され、
前記一対の支持軸は、前記枠部の壁部上であって前記スライド支持部が当該枠部に挿入されたときに前記中間位置に対応する位置に設けられ、かつ、前記シーソーボタンの前記一対の回動支持部の軸孔にそれぞれ挿入されることで、前記枠部に前記シーソーボタンを回動可能に支持することが可能に形成されていることを特徴とするスイッチケース。
【請求項２】
特定方向の両端部が選択的に押圧操作を受けるシーソーボタン操作部と、前記特定方向と直交するボタン幅方向に互いに離間する位置でそれぞれ当該シーソーボタン操作部から前記押圧操作の方向に延びる一対の回動支持部とを備え、これら回動支持部に当該回動支持部を支持するための支持軸を挿入可能な軸孔が形成されたシーソーボタンと、押圧操作を受ける押圧ボタン操作部と、この押圧ボタン操作部から前記押圧操作の方向に延び、かつ当該押圧操作の方向にスライド可能となるように保持されることが可能なスライド支持部とを備える押圧ボタンの何れも択一的に保持することが可能な形状を有し、前記シーソーボタン又は前記押圧ボタンとともに押圧操作装置を構成するスイッチケースであって、
前記押圧操作に応じてその押圧操作の方向にスライドさせることが可能となるように、前記押圧ボタンのスライド支持部を外側から保持する枠部と、
この枠部の互いに対向する壁部から外向きに延びる一対の支持軸とを備え、これら枠部と一対の支持軸とが一体に成型されており、
前記一対の支持軸は、前記シーソーボタンの前記一対の回動支持部の軸孔にそれぞれ挿入されることで、前記枠部に前記シーソーボタンを回動可能に支持することが可能に形成されていることを特徴とするスイッチケース。
【請求項３】
請求項１又は２に記載のスイッチケースにおいて、
前記押圧ボタンを単一押圧ボタンとしたときに、これとは別に、押圧操作を受ける第１押圧ボタン操作部とこの第１押圧ボタン操作部から前記押圧操作の方向に延びかつ当該押圧操作の方向にスライド可能となるように保持されることが可能な第１スライド支持部と、押圧操作を受ける第２押圧ボタン操作部とこの第２押圧ボタン操作部から前記押圧操作の方向に延びかつ当該押圧操作の方向にスライド可能となるように保持されることが可能な第２スライド支持部とを有する第２押圧ボタンとを一組として、これら第１押圧ボタンと第２押圧ボタンとが並列に並べたられた状態でそれらのスライド支持部同士が前記押圧操作の方向にそれぞれスライド可能となるように保持された状態で用いられる押圧ボタン対について、さらに保持することが可能なものであり、
前記枠部は、前記第１押圧ボタンおよび前記第２押圧ボタンが並列に並べられた状態でそれらのスライド支持部が一体に挿入されることが可能で、かつ、前記一対の支持軸を挟んでその両外側の位置で各押圧ボタンのスライド支持部をそれぞれスライド可能に保持することが可能に形成されていることを特徴とするスイッチケース。
【請求項４】
請求項１乃至３の何れか一項に記載のスイッチケースにおいて、
前記枠部は、前記一対の支持軸の両側の位置に、前記スライド支持部が挿入される空間から独立して前記押圧操作の方向に延びる中空部をそれぞれ備えていることを特徴とするスイッチケース。
【請求項５】
押圧操作装置を製造する方法であって、
請求項１乃至４に記載されたスイッチケースを製造するケース製造工程と、
特定方向の両端部が選択的に押圧操作を受けるシーソーボタン操作部と、前記特定方向と直交するボタン幅方向に互いに離間する位置でそれぞれ当該シーソーボタン操作部から前記押圧操作の方向に延びる一対の回動支持部とを備え、これら回動支持部に当該回動支持部を支持するための支持軸を挿入可能な軸孔が形成されたシーソーボタンを製造するシーソーボタン製造工程と、
押圧操作を受ける押圧ボタン操作部と、この押圧ボタン操作部から前記押圧操作の方向に延び、前記押圧操作の方向と直交する方向における中間位置より両側に外れた位置で前記押圧操作の方向にスライド可能となるように保持されることが可能なスライド支持部とを備える押圧ボタンを製造する押圧ボタン製造工程と、
前記シーソーボタンの前記一対の回動支持部の軸孔にそれぞれ前記スイッチケースの一対の支持軸が挿入されることで、前記シーソーボタンが前記スイッチケースに回動可能に支持された第１押圧操作装置を組み立てる第１押圧操作装置組立工程と、
前記押圧ボタンの前記スライド支持部が前記スイッチケースの枠部の内側に挿入されることにより、前記押圧ボタンがその押圧操作の方向に変位可能となるように前記スイッチケースに保持された第２押圧操作装置を組み立てる第２押圧操作装置組立工程と、を含むことを特徴とする押圧操作装置の製造方法。
【請求項６】
請求項５に記載の押圧操作装置の製造方法において、
前記ケース製造工程は、請求項２に記載されたスイッチケースを製造し、前記押圧ボタン製造工程は、前記押圧ボタンを単一押圧ボタンとして当該単一押圧ボタンを製造する工程であり、さらに、
押圧操作を受ける第１押圧ボタン操作部とこの第１押圧ボタン操作部から前記押圧操作の方向に延びかつ当該押圧操作の方向にスライド可能となるように保持されることが可能な第１スライド支持部と、押圧操作を受ける第２押圧ボタン操作部とこの第２押圧ボタン操作部から前記押圧操作の方向に延びかつ当該押圧操作の方向にスライド可能となるように保持されることが可能な第２スライド支持部とを有する第２押圧ボタンとを一組として、これら第１押圧ボタンと第２押圧ボタンとが並列に並べたられた状態でそれらのスライド支持部同士が前記押圧操作の方向にそれぞれスライド可能となるように保持された状態で用いられる押圧ボタン対を製造する押圧ボタン対製造工程と、
前記押圧ボタン対を構成する前記第１押圧ボタン及び第２押圧ボタンが並列に並べられた状態で当該押圧ボタンの各スライド支持部が前記スイッチケースの枠部の内側に挿入されることにより、前記第１押圧ボタン及び第２押圧ボタンがその押圧操作の方向に個別に変位可能となるように前記スイッチケースに保持された第３押圧操作装置を組み立てる第３押圧操作装置組立工程とを含むことを特徴とする押圧操作装置の製造方法。
【請求項７】
請求項６に記載の押圧操作装置の製造方法において、
前記第１押圧ボタンおよび前記第２押圧ボタンは、前記第１押圧ボタン操作部および前記第２押圧ボタン操作部がそれぞれ前記押圧操作を受ける操作壁とその周囲から押圧操作の方向に延びる周壁とを備えるものであり、
前記第３押圧操作装置組立工程では、前記第１押圧ボタンとして、その周壁に繋がり、前記両押圧ボタンを並列に並べた状態で前記第２押圧ボタンの周壁の開口側から当該周壁の内側に介在して両押圧ボタンの隙間を塞ぐための延設部を備えるものを用いることを特徴とする押圧操作装置の製造方法。
【発明の詳細な説明】
【技術分野】
【０００１】
本発明は、押圧スイッチを押圧操作するために自動車のパネルユニット等に組み込まれる押圧操作装置に用いられるスイッチケース、及びこのスイッチケースを用いた押圧操作装置の製造方法に関するものである。
【背景技術】
【０００２】
従来、押圧スイッチを押圧操作するための押圧操作装置として、操作ボタンを押し込むことで単一の押圧スイッチを押圧操作するプッシュ方式のものと、操作ボタンを押圧しつつ揺動させることにより一対の押圧スイッチを択一的に押圧操作するシーソー方式のものとが一般に周知である。最近では、特許文献１に開示されるように、プッシュ方式及びシーソー方式の何れの操作方式も択一的に構築できる押圧操作装置も提案されている。
【０００３】
この押圧操作装置は、スイッチ素子（押圧スイッチ）が搭載された基板に固定されるスイッチケースと、このスイッチケースに形成される収容部（透孔）に収容された状態で前記スイッチ素子の前方側の位置に配置される操作ボタンとを含み、この操作ボタンとして、プッシュ方式用の操作ボタン（押圧ボタン）とシーソー方式用の操作ボタン（シーソーボタン）とが択一的に使用可能となっている。
【先行技術文献】
【特許文献】
【０００４】
【特許文献１】実開平６−２８９４７号公報
【発明の概要】
【発明が解決しようとする課題】
【０００５】
特許文献１に開示される従来の押圧操作装置は、押圧ボタンを用いてプッシュ方式の押圧操作装置を構築する場合には、押圧ボタンを直接スイッチケースで支持させるものの、シーソーボタンを用いてシーソー方式の押圧操作装置を構築する場合には、シーソーボタンを支持させるための支持軸を備えたアダプタ（ホルダ）をスイッチケースに組み付け、このアダプタにシーソーボタンを組み付けている。そのため、アダプタ（ホルダ）が必要となる分、組立工数や製造コストの面で不利である。
【０００６】
本発明は、このような事情に鑑みて成されたものであり、従来のものに比べて組立工数や製造コストを抑えながら、プッシュ方式およびシーソー方式の押圧操作装置を択一的に構築することが可能な技術を提供することを目的とするものである。
【課題を解決するための手段】
【０００７】
上記課題を解決するための手段として、本発明は、特定方向の両端部が選択的に押圧操作を受けるシーソーボタン操作部と、前記特定方向と直交するボタン幅方向に互いに離間する位置でそれぞれ当該シーソーボタン操作部から前記押圧操作の方向に延びる一対の回動支持部とを備え、これら回動支持部に当該回動支持部を支持するための支持軸を挿入可能な軸孔が形成されたシーソーボタンと、押圧操作を受ける押圧ボタン操作部と、この押圧ボタン操作部から前記押圧操作の方向に延び、前記押圧操作の方向と直交する方向における中間位置より両側に外れた位置で前記押圧操作の方向にスライド可能となるように保持されることが可能なスライド支持部とを備える押圧ボタンの何れも択一的に保持することが可能な形状を有し、前記シーソーボタン又は前記押圧ボタンとともに押圧操作装置を構成するスイッチケースであって、前記押圧ボタンの前記スライド支持部を囲んだ状態で保持する枠部と、この枠部の互いに対向する壁部から内向きに延びる一対の支持軸とを備え、これら枠部と一対の支持軸とが一体に成型されており、前記枠部は、その内側に前記押圧ボタンのスライド支持部が挿入されることで、当該スライド支持部の前記中間位置より両側に外れた位置でそれぞれ当該スライド支持部を保持しつつ前記押圧操作に応じてその押圧操作の方向にスライドさせることが可能に形成され、前記一対の支持軸は、前記枠部の壁部上であって前記スライド支持部が当該枠部に挿入されたときに前記中間位置に対応する位置に設けられ、かつ、前記シーソーボタンの前記一対の回動支持部の軸孔にそれぞれ挿入されることで、前記枠部に前記シーソーボタンを回動可能に支持することが可能に形成されているものである。
【０００８】
また、本発明は、特定方向の両端部が選択的に押圧操作を受けるシーソーボタン操作部と、前記特定方向と直交するボタン幅方向に互いに離間する位置でそれぞれ当該シーソーボタン操作部から前記押圧操作の方向に延びる一対の回動支持部とを備え、これら回動支持部に当該回動支持部を支持するための支持軸を挿入可能な軸孔が形成されたシーソーボタンと、押圧操作を受ける押圧ボタン操作部と、この押圧ボタン操作部から前記押圧操作の方向に延び、かつ当該押圧操作の方向にスライド可能となるように保持されることが可能なスライド支持部とを備える押圧ボタンの何れも択一的に保持することが可能な形状を有し、前記シーソーボタン又は前記押圧ボタンとともに押圧操作装置を構成するスイッチケースであって、前記押圧操作に応じてその押圧操作の方向にスライドさせることが可能となるように、前記押圧ボタンのスライド支持部を外側から保持する枠部と、この枠部の互いに対向する壁部から外向きに延びる一対の支持軸とを備え、これら枠部と一対の支持軸とが一体に成型されており、前記一対の支持軸は、前記シーソーボタンの前記一対の回動支持部の軸孔にそれぞれ挿入されることで、前記枠部に前記シーソーボタンを回動可能に支持することが可能に形成されているものである。
【０００９】
そして、本発明の押圧操作装置の製造方法は、上記のようなスイッチケースを製造するケース製造工程と、特定方向の両端部が選択的に押圧操作を受けるシーソーボタン操作部と、前記特定方向と直交するボタン幅方向に互いに離間する位置でそれぞれ当該シーソーボタン操作部から前記押圧操作の方向に延びる一対の回動支持部とを備え、これら回動支持部に当該回動支持部を支持するための支持軸を挿入可能な軸孔が形成されたシーソーボタンを製造するシーソーボタン製造工程と、押圧操作を受ける押圧ボタン操作部と、この押圧ボタン操作部から前記押圧操作の方向に延び、前記押圧操作の方向と直交する方向における中間位置より両側に外れた位置で前記押圧操作の方向にスライド可能となるように保持されることが可能なスライド支持部とを備える押圧ボタンを製造する押圧ボタン製造工程と、前記シーソーボタンの前記一対の回動支持部の軸孔にそれぞれ前記スイッチケースの一対の支持軸が挿入されることで、前記シーソーボタンが前記スイッチケースに回動可能に支持された第１押圧操作装置を組み立てる第１押圧操作装置組立工程と、前記押圧ボタンの前記スライド支持部が前記スイッチケースの枠部の内側に挿入されることにより、前記押圧ボタンがその押圧操作の方向に変位可能となるように前記スイッチケースに保持された第２押圧操作装置を組み立てる第２押圧操作装置組立工程と、を含むものである。
【００１０】
このようなスイッチケースおよび押圧操作装置の製造方法によれば、共通のスイッチケースを用いて、シーソー方式の第１押圧操作装置とプッシュ方式の第２押圧操作装置とを効率良く生産することが可能となる。特に、スイッチケースは、シーソーボタン及び押圧ボタンの何れも直接保持するため、特定のボタンを使用する場合にアダプタを要する従来のものに比べて、押圧操作装置の組立工数や製造コストを抑えることが可能となる。
【００１１】
なお、上記のようなスイッチケースにおいては、前記押圧ボタンを単一押圧ボタンとしたときに、これとは別に、押圧操作を受ける第１押圧ボタン操作部とこの第１押圧ボタン操作部から前記押圧操作の方向に延びかつ当該押圧操作の方向にスライド可能となるように保持されることが可能な第１スライド支持部と、押圧操作を受ける第２押圧ボタン操作部とこの第２押圧ボタン操作部から前記押圧操作の方向に延びかつ当該押圧操作の方向にスライド可能となるように保持されることが可能な第２スライド支持部とを有する第２押圧ボタンとを一組として、これら第１押圧ボタンと第２押圧ボタンとが並列に並べたられた状態でそれらのスライド支持部同士が前記押圧操作の方向にそれぞれスライド可能となるように保持された状態で用いられる押圧ボタン対について、さらに保持することが可能なものであり、前記枠部は、前記第１押圧ボタンおよび前記第２押圧ボタンが並列に並べられた状態でそれらのスライド支持部が一体に挿入されることが可能で、かつ、前記一対の支持軸を挟んでその両外側の位置で各押圧ボタンのスライド支持部をそれぞれスライド可能に保持することが可能に形成されているのが好適である。
【００１２】
この場合、押圧操作装置の製造方法においては、前記押圧ボタン製造工程で、前記押圧ボタンを単一押圧ボタンとして当該単一押圧ボタンを製造する。そしてさらに、押圧操作を受ける第１押圧ボタン操作部とこの第１押圧ボタン操作部から前記押圧操作の方向に延びかつ当該押圧操作の方向にスライド可能となるように保持されることが可能な第１スライド支持部と、押圧操作を受ける第２押圧ボタン操作部とこの第２押圧ボタン操作部から前記押圧操作の方向に延びかつ当該押圧操作の方向にスライド可能となるように保持されることが可能な第２スライド支持部とを有する第２押圧ボタンとを一組として、これら第１押圧ボタンと第２押圧ボタンとが並列に並べたられた状態でそれらのスライド支持部同士が前記押圧操作の方向にそれぞれスライド可能となるように保持された状態で用いられる押圧ボタン対を製造する押圧ボタン対製造工程と、前記押圧ボタン対を構成する前記第１押圧ボタン及び第２押圧ボタンが並列に並べられた状態で当該押圧ボタンの各スライド支持部が前記スイッチケースの枠部の内側に挿入されることにより、前記第１押圧ボタン及び第２押圧ボタンがその押圧操作の方向に個別に変位可能となるように前記スイッチケースに保持された第３押圧操作装置を組み立てる第３押圧操作装置組立工程とを実施する。
【００１３】
このようなスイッチケースおよび押圧操作装置の製造方法によれば、上記の第１、第２の押圧操作装置と共通のスイッチケースを用いて、さらに２つの押圧ボタン（第１、第２押圧ボタン）を一組とする押圧ボタン対を備えた第３押圧操作装置を効率良く生産することが可能となる。
【００１４】
なお、上記のようなスイッチケースにおいては、前記枠部は、前記一対の支持軸の両側の位置に、前記スライド支持部が挿入される空間から独立して前記押圧操作の方向に延びる中空部をそれぞれ備えているものであるのが好適である。
【００１５】
この構成によれば、例えばスイッチケースを基板上に固定して用いる場合などに、当該中空部を用いて、ボタン操作に応じて基板上の押圧スイッチ素子を押圧操作するための軸状部材を支持し、若しくは、基板上に実装される発光素子の光をボタン側に導くための手段として利用することが可能となり、スイッチケースの機能性が向上する。
【００１６】
また、前記第１押圧ボタンおよび前記第２押圧ボタンが、前記第１押圧ボタン操作部および前記第２押圧ボタン操作部がそれぞれ前記押圧操作を受ける操作壁とその周囲から押圧操作の方向に延びる周壁とを備えるものである場合には、上記のような押圧操作装置の製造方法では、前記第３押圧操作装置組立工程において、前記第１押圧ボタンとして、その周壁に繋がり、前記両押圧ボタンを並列に並べた状態で前記第２押圧ボタンの周壁の開口側から当該周壁の内側に介在して両押圧ボタンの隙間を塞ぐための延設部を備えるものを用いるのが好適である。
【００１７】
この方法によれば、上記第３押圧操作装置として、第１押圧ボタンと第２押圧ボタンとの間の隙間を上記延設部により塞いで、異物の侵入等を防止することが可能な第３押圧操作装置を製造することが可能となる。
【発明の効果】
【００１８】
以上説明したように、本発明によれば、共通のスイッチケースを用いてプッシュ方式およびシーソー方式の押圧操作装置を択一的に構築しつつ、その組立工数や製造コストを低減させることが可能となる。
【図面の簡単な説明】
【００１９】
【図１】本発明に係るスイッチケースが適用されるシーソー方式の押圧操作装置（第１押圧操作装置）を示す図である（（ａ）は斜視図、（ｂ）は側面図である）。
【図２】第１押圧操作装置を示す斜視分解図（（ａ）は装置前方から見た状態、（ｂ）は装置後方から見た状態をそれぞれ示す）。
【図３】第１押圧操作装置の断面図である（図１（ｂ）のIII−III線断面図である）。
【図４】本発明に係るスイッチケースが適用される単一押しボタン方式の押圧操作装置（第２押圧操作装置）を示す図である（（ａ）は斜視図、（ｂ）は側面図である）。
【図５】第２押圧操作装置を示す斜視分解図（（ａ）は装置前方から見た状態、（ｂ）は装置後方から見た状態をそれぞれ示す）。
【図６】第２押圧操作装置の断面図である（図４（ｂ）のVI−VI線断面図である）。
【図７】本発明に係るスイッチケースが適用されるダブル押しボタン方式の押圧操作装置（第３押圧操作装置）を示す図である（（ａ）は斜視図、（ｂ）は側面図である）。
【図８】第３押圧操作装置を示す斜視分解図（（ａ）は装置前方から見た状態、（ｂ）は装置後方から見た状態をそれぞれ示す）。
【図９】第３押圧操作装置の断面図である（図７（ｂ）のIX−IX線断面図である）。
【図１０】第１押圧操作装置が適用されたスイッチ装置（第１スイッチ装置）の一例を示す断面図である。
【図１１】第２押圧操作装置が適用されたスイッチ装置（第２スイッチ装置）の一例を示す断面図である。
【図１２】第３押圧操作装置が適用されたスイッチ装置（第３スイッチ装置）の一例を示す断面図である。
【図１３】スイッチケースの変形例を示す第２押圧操作装置の断面図である。
【図１４】スイッチケースの変形例を示す第２押圧操作装置の断面図である。
【図１５】スイッチケースの変形例を示す第１押圧操作装置の断面図である。
【発明を実施するための形態】
【００２０】
以下、添付図面を参照しながら本発明の好ましい実施の一形態について詳述する。
【００２１】
図１〜図９は、本発明に係るスイッチケースが適用された押圧操作装置をそれぞれ示しており、図１〜図３は、シーソー方式の押圧操作装置（第１押圧操作装置Ｓ１という）を、図４〜図６は、単一の押圧ボタンを備えるプッシュ方式の押圧操作装置（第２押圧操作装置Ｓ２という）を、図７〜図９は、一対の押圧ボタンを備えるプッシュ方式の押圧操作装置（第３押圧操作装置Ｓ３という）をそれぞれ概略的に示している。これらの押圧操作装置Ｓ１〜Ｓ３は、回路基板上に固定されて、この回路基板上に実装される押圧スイッチを押圧操作するために用いられるものである。
【００２２】
各押圧操作装置Ｓ１〜Ｓ３は、本発明に係るスイッチケース４０を共通部品として、当該スイッチケース４０にそれぞれ形状の異なるボタン１０、２０及び３０（３０Ａ，３０Ｂ）が択一的に組み付けられることにより構成される。以下、各押圧操作装置Ｓ１〜Ｓ３について、詳述する。
【００２３】
〈  第１押圧操作装置Ｓ１  〉
図１〜図３に示すに示すように、第１押圧操作装置Ｓ１は、一対の押圧スイッチを択一的に押圧操作するためのシーソーボタン１０と、これを支持するための本発明に係るスイッチケース４０とを備えている。
【００２４】
前記シーソーボタン１０は、一対の押圧スイッチを択一的に押圧操作するためものである。このシーソーボタン１０は、押圧操作を受けるボタン本体部１２と一対の被支持部１６とを有し、これらが例えば合成樹脂により単一部材として一体に成形されている。
【００２５】
前記ボタン本体部１２は、前壁１３と周壁１４とを一体に備える。前記前壁１３は、本発明のシーソーボタン操作部に相当するもので、この実施の形態では正面から見て特定方向（図１（ｂ）では上から見て左右方向）に細長い矩形状をなしており、前記周壁１３はこの前壁１３の周縁から後方、すなわち、ボタン本体部１２が押圧操作を受ける方向（図１（ｂ）では下方）に延びている。
【００２６】
前記一対の被支持部１６は、シーソーボタン１０をスイッチケース４０に回動可能に支持させる部位、すなわち、本発明の回動支持部に相当するものであり、前壁１３の裏面に、後方に突出するように形成されている。詳しくは、前壁１３の長手方向の中間位置であって当該長手方向と直交するボタン幅方向に離間する位置にそれぞれ形成されている。各被支持部１６は、前記ボタン幅方向に厚みを有する板状をなし、それぞれ板厚方向に貫通する軸孔１６ａを備えている。
【００２７】
一方、前記スイッチケース４０は、中空の本体枠４１と、ボタンを支持するための枠体４２（本発明の枠部に相当する）とを有し、これらが例えば合成樹脂材料により単一部材として一体に成形されている。
【００２８】
前記本体枠４１は、前壁４１ａと周壁４１ｂとを有する。前記前壁４１ａは、正面からみて前記シーソーボタン１０と同方向に細長い矩形状をなし、前記周壁４１ｂは、前記前壁４１ａの全周縁から後方に延びている。
【００２９】
前記枠体４２は、正面からみて前記前壁４１ａと同方向に細長い矩形筒状をなす。すなわち、前記前壁４１ａには、枠体４２が囲む空間に対応した形状の貫通孔が設けられ、この貫通孔の周縁から枠体４２が前後両方（図２（ａ）では上下両方）へそれぞれ延びている。なお、枠体４２の後端と前記周壁４１ｂの後端とはほぼ面一に形成されている。
【００３０】
前記枠体４２は、詳しくは、長手方向に対向する第１対向壁部４４ａとこれらの間で前記長手方向に直交する方向に互いに対向する第２対向壁部４４ｂとを有する。各第２対向壁部４４ｂは、その前端が枠体４２の長手方向中央部を頂部とした山型の形状を有する。
【００３１】
前記枠体４２の長手方向中間位置であって各第２対向壁部４４ｂの内側面には、当該内側面から内向きに突出する軸部４６（本発明の支持軸に相当する）がそれぞれ形成されている。これら軸部４６は、前記シーソーボタン１０を支持するものである。すなわち、図３に示すように、これら軸部４６が各被支持部１６の軸孔１６ａに外側から挿入されるように、各被支持部１６が両長辺壁部４５ｂの内側に嵌め込まれることにより、前記シーソーボタン１０Ａが前記軸部４６を中心として回動可能となるように枠体４２（スイッチケース４０）に支持されている。
【００３２】
前記各第２対向壁部４４ｂの内側面であって、その長手方向における前記軸部４６の両外側の位置には、当該内側面からそれぞれ内向きに突出して前後方向に互いに平行に延びるガイドリブ４７が形成されている。各第２対向壁部４４ｂのガイドリブ４７同士は互い対向する位置に形成されている。これらガイドリブ４７は、後に説明する第２、第３の押圧操作装置Ｓ２、Ｓ３を構成する際に後記押圧ボタン２０、３０Ａ，３０Ｂをその押圧操作方向にガイドするものである。
【００３３】
一方、各第１対向壁部４４ａには、当該枠体４２の内側の空間から独立してそれぞれ前後方向に延びる断面矩形の中空部４８が形成されている。各第１対向壁部４４ａは、この中空部４８に対応する部分が枠体４２の内側に膨出しており、これにより、各第１対向壁部４４ａの内側面には、当該膨出部分を利用したガイドレール４５が形成されている。これらのガイドレール４５も前記ガイドリブ４７と同様に、後記押圧ボタン２０、３０Ａ，３０Ｂをガイドするためのものである。
【００３４】
なお、前記シーソーボタン１０の前記前壁１３の裏面であって各中空部４８の前方に対向する位置には、当該裏面から後方に突出する半球状の突起１３ａが形成されている。この突起１３ａは、中空部４８に挿入される後記操作軸６４を押圧するための部位である。
【００３５】
図１０は、上述した第１押圧操作装置Ｓ１を用いて構成された第１スイッチ装置ＳＳ１の一例を概略的に示している。同図に示すように、この第１スイッチ装置ＳＳ１は、回路基板Ｗ１と、この回路基板Ｗ１上に固定される上記第１押圧操作装置Ｓ１とを備える。
【００３６】
前記回路基板Ｗ１は、第１押圧スイッチ６１、第２押圧スイッチ６２及びその他の電子部品が実装されたものであり、前記第１押圧操作装置Ｓ１は、前記押圧スイッチ６１、６２を押圧操作するために、当該回路基板Ｗ１の前記押圧スイッチ６１、６２の実装面側に固定されている。詳しくは、前記押圧スイッチ６１、６２が前記スイッチケース４０の各中空部４８の内側に位置するように、前記第１押圧操作装置Ｓ１が当該回路基板Ｗ１に固定されている。
【００３７】
各押圧スイッチ６１，６２は、スイッチ本体６０ａと、このスイッチ本体６０ａに保持される操作部６０ｂとを有する。前記操作部６０ｂは回路基板Ｗ１の法線方向と平行な方向に押圧操作されるもので、その押圧操作方向に変位可能となるように前記スイッチ本体６０ａに保持される。スイッチ本体６０ａは、前記操作部６０ｂが押圧操作方向に変位するのに伴って操作信号を出力するとともに、前記操作部６０ｂに前記押圧操作方向と逆方向の復帰力を付与する機構（例えばばね機構）を内蔵する。
【００３８】
前記スイッチケース４０の中空部４８には、それぞれ操作軸６４が挿入されている。これらの操作軸６４は、例えば合成樹脂からなる軽量な軸部材である。各操作軸６４は、各押圧スイッチ６１，６２の操作部６０ｂに連結されており、その上端（同図で上端）は前記枠体４２からシーソーボタン１０側に突出し、それぞれ前記突起１３ａに近接している。
【００３９】
このような第１スイッチ装置ＳＳ１において、前記シーソーボタン１０は、押圧操作されていないときは、同図に示されるほぼ中立位置に保持される。そして、この状態から前記ボタン本体部１２の両端部１３１，１３２のいずれか一方が押圧されると、その押圧端部がその押圧方向に変位するように前記軸部４６を支点としてシーソーボタン１０全体が回動する。これに伴い、押圧された側の操作軸６４が第１押圧スイッチ６１又は第２押圧スイッチ６２の操作部６０ｂを押圧し、当該第１押圧スイッチ６１又は第１２圧スイッチ６に操作信号を出力させる。
【００４０】
〈  第２押圧操作装置Ｓ２  〉
図４〜図６に示すように、第２押圧操作装置Ｓ２は、上述した第１押圧操作装置Ｓ１のシーソーボタン１０に代えて、押圧ボタン２０が上記スイッチケース４０に保持された構成を有する。
【００４１】
前記押圧ボタン２０は、一つの押圧スイッチを押圧操作するためものである。この押圧ボタン２０は、押圧操作を受けるボタン本体部２２と被保持部２６とを有し、これらが例えば合成樹脂により単一部材として一体に成形されている。
【００４２】
前記ボタン本体部２２は、前壁２３（本発明の押圧ボタン操作部に相当する）と周壁２４とを一体に備えている。このボタン本体部２２は、正面から見て特定方向（図４（ｂ）では上からみて左右方向）に細長い矩形状をなしており、上述したシーソーボタン１０のボタン本体部１２とほぼ同等の形状を有する。
【００４３】
前記被保持部２６は、スイッチケース４０にスライド可能に保持される部位、すなわち本発明のスライド支持部に相当する部位であり、前記周壁２４の内側の位置で前記前壁２３の裏面から後方に突出するように形成されている。この被保持部２６は、断面略矩形の筒状をなす。この被保持部２６は、スイッチケース４０の前記枠体４２によりスライド可能に保持されることが可能な断面形状を有する。詳しくは、図５及び図６に示すように、被保持部２６は、前記枠体４２の前記一対の第１対向壁部４４ａに対向する一対の壁部２６ａと、前記一対の第２対向壁部４４ｂに対向する一対の壁部２６ｂとを有している。前記各壁部２６ａにはスイッチケース４０の前記ガイドリブ４７に対応するガイド溝２７が形成され、各壁部２６ｂにはガイドレール４５に対応するガイド溝２９が形成されている。なお、各壁部２６ｂの長手方向中間部には、枠体４２の内側面から突出する前記軸部４６との干渉回避のための中間溝２７が形成されており、これにより被保持部２６は、図６に示すように、押圧ボタン２０の前記長手方向における中間位置よりも外側の位置で前記枠体４２によりスライド可能に保持される。
【００４４】
前記ボタン本体部２２は、その長手方向の一端部であって前記被保持部２６の外側の位置に導光部材２５を備えている。この導光部材２５は、押圧スイッチの操作により発光するインジケータを構成するもので、回路基板Ｗに実装される光素子（例えばＬＥＤ）等の光をボタン本体部２２の表面に導光するものである。この導光部材２５は、透明な樹脂材料から形成された断面矩形の軸部材であり、前記被保持部２６の一方側のガイド溝２９の内側に介在するようにボタン本体部２２の前記前壁２３に固定されている。詳しくは、前壁２３にその厚み方向に貫通する貫通孔が形成され、この貫通孔に導光部材２５が圧入、固定されている。
【００４５】
前記押圧ボタン２０は、前記被保持部２６が前記枠体４２の内側に挿入されるとともに、前記導光部材２５が前記中空部４８に挿入されることにより、押圧ボタン２０の押圧操作に伴い押圧操作方向にスライド可能に保持される。この際、前記枠体４２の軸部４６が前記被保持部２６の中間溝２７内に介在することで、前記押圧ボタン２０の押圧操作に伴い当該押圧ボタン２０のスライドが支障無く行われる。
【００４６】
図１１は、上述した第２押圧操作装置Ｓ２を用いて構成された第２スイッチ装置ＳＳ２の一例を概略的に示している。同図に示すように、この第２スイッチ装置ＳＳ２は、回路基板Ｗ２と、この回路基板Ｗ２上に固定される上記第２押圧操作装置Ｓ２とを備える。
【００４７】
前記回路基板Ｗ２は、押圧スイッチ６６及び発光素子（例えばＬＥＤ）６８等の電子部品が実装されたものであり、前記第２押圧操作装置Ｓ２は、前記押圧スイッチ６６を押圧操作するために、当該回路基板Ｗ２の前記押圧スイッチ６６等の実装面側に固定されている。詳しくは、前記スイッチケース４０の中空部４８のうち前記導光部材２５が挿入されていない側の中空部４８の内側に押圧スイッチ６６が、導光部材２５が挿入されている側の中空部４８の内側に発光素子６８がそれぞれ位置するように、第２押圧操作装置Ｓ２が当該回路基板Ｗ２に固定されている。
【００４８】
前記押圧スイッチ６６は、第１スイッチ装置ＳＳ１の押圧スイッチ６１等と同等のものであり、操作部６０ｂが押圧操作されることで操作信号を出力する。そして前記発光素子６８は、例えばこの操作部６０ｂが押圧操作されることにより発光する。
【００４９】
また、スイッチケース４０の各中空部４８のうち押圧スイッチ６６が挿入される側の中空部４８には、第１スイッチ装置ＳＳ１のものと同等の操作軸６４が挿入されている。
【００５０】
このような第２スイッチ装置ＳＳ２では、前記押圧ボタン２０が押圧されると、これに伴い操作軸６４が押圧スイッチ６６の操作部６０ｂを押圧し、当該押圧スイッチ６６に操作信号を出力させるとともに、当該操作信号が出力されている間、前記発光素子６８が発光する。発光素子６８の光は、導光部材２５を介して押圧ボタン２０のボタン本体部２２の前面に導光され、これにより押圧スイッチ６６の操作状況が操作者に表示される。
【００５１】
〈  第３押圧操作装置Ｓ３  〉
図７〜図９に示すように、第３押圧操作装置Ｓ３は、上述した第２押圧操作装置Ｓ２の単一の押圧ボタン２０に代えて押圧ボタン対、すなわち、押圧ボタン２０よりもサイズの小さい一対の押圧ボタン３０Ａ，３０Ｂ（第１ボタン３０Ａ，第２ボタン３０Ｂと称す）がスイッチケース４０の長手方向に並べられた状態で当該スイッチケース４０に保持された構成を有する。
【００５２】
前記各ボタン３０Ａ，３０Ｂは、一対の押圧スイッチを個別に押圧操作するためものである。これらボタン３０Ａ，３０Ｂは並び方向に対称な形状を有する以外は、基本的な構成がほぼ共通しているため、以下、第１ボタン３０Ａの構成について説明しつつ、両押圧ボタン３０Ａ，３０Ｂの相違について適宜言及することにする。
【００５３】
第１ボタン３０Ａは、押圧操作を受けるボタン本体部３２と、当該第１ボタン３０Ａを前記スイッチケース４０にスライド可能に保持させるため被保持部３６とを有し、これらが例えば合成樹脂により単一部材として一体に成形されている。
【００５４】
前記ボタン本体部３２は、前壁３３と周壁３４とを一体に備えている。このボタン本体部３２は、両押圧ボタン３０Ａ，３０Ｂが前記並び方向に並んだ状態で、当該並び方向の寸法が前記第２押圧操作装置Ｓ２の押圧ボタン２０の長手方向寸法のほぼ二分の一で、これと直交するボタン幅方向の寸法が前記押圧ボタン２０と同等に形成されている。つまり、各押圧ボタン３０Ａ、３０Ｂのボタン本体部３２が全体として前記シーソーボタン１０や押圧ボタン２０のボタン本体部１２，２２とほぼ同等の形状を形成する。なお、当実施の形態では、第１ボタン３０Ａのボタン本体部３２及び被保持部３６がそれぞれ本発明の第１押圧ボタン操作部および第１スライド支持部に相当し、第２ボタン３０Ｂのボタン本体部３２及び被保持部３６がそれぞれ本発明の第２押圧ボタン操作部および第２スライド支持部に相当する。
【００５５】
図９に示すように、両押圧ボタン３０Ａ，３０Ｂの周壁３４のうちそれらの並び方向に対向する壁部には、その両端（同図では上下両端）に切欠部３４ａがそれぞれ形成されている。これら切欠部３４ａは、スイッチケース４０の前記枠体４２およびこれに形成される前記軸部４６を逃がすためのものである。また、第２ボタン３０Ｂの当該壁部のうち前記切欠部３４ａより内側の領域には、図１２に示すように、周壁３４の下端部から第１ボタン３０Ａ側に延び、その周壁３４と後記被保持部３６との間の位置で立ち上がってそれの間に介在する延設部３４ｂが当該周壁３４に一体に形成されている。この延設部３４ｂは、両ボタン３０Ａ、３０Ｂの間の隙間を塞ぐことで、両押圧ボタン３０Ａ，３０Ｂの連続性を保って異物の侵入を防ぐとともに見栄えを保つためのものである。
【００５６】
前記被保持部３６は、前記周壁３４の内側の位置で前記前壁３３の裏面から後方に突出するように形成されている。前記被保持部３６は、図８及び図９に示すように、前記並び方向に対向する一対の壁部３６ａとボタン幅方向に対向する一対の壁部３６ｂとをそれぞれ有する断面略矩形の筒状をなす。前記各壁部３６ａにはスイッチケース４０の前記ガイドリブ４７に対応するガイド溝２７が形成され、各壁部２６ｂにはガイドレール４５に対応するガイド溝３９が形成されている。なお、各押圧ボタン３０Ａ，３０Ｂの被保持部３６は、それらの前記壁部３６ａのうち互いに隣接するもの同士の間に前記スイッチケース４０の軸部４６が介在可能な隙間が確保されるように形成されている。
【００５７】
各押圧ボタン３０Ａ，３０Ｂのボタン本体部３２は、前記並び方向の一端部、具体的には互いに離反する側の一端部に導光部材３５をそれぞれ備えている。これらの導光部材３５は、第２押圧操作装置Ｓ２の押圧ボタン２０に組み込まれたものと同様のものであり、各押圧ボタン３０Ａ，３０Ｂの前記被保持部３６のガイド溝３９の内側に介在するようにそれぞれボタン本体部３２の前壁２３に固定されている。
【００５８】
これらの押圧ボタン３０Ａ，３０Ｂは、前記並び方向に並べられた状態で各被保持部３６が前記枠体４２の内側に挿入されるとともに、前記導光部材３５が前記中空部４８にそれぞれ挿入されることにより、各押圧ボタン３０Ａ，３０Ｂの押圧操作方向にスライド可能に保持される。詳しくは、スイッチケース４０の前記枠体４２の長手方向の一端側に位置するガイドリブ４７及びガイドレール４５が第１ボタン３０Ａのガイド溝３８，３９に介在するように第１ボタン３０Ａの被保持部３６が前記枠体４２に挿入される一方、前記長手方向の他端側に位置するガイドリブ４７及びガイドレール４５が第２ボタン３０Ｂのガイド溝３８，３９に介在するように第２ボタン３０Ｂが前記枠体４２に挿入される。
【００５９】
図１２は、上述した第３押圧操作装置Ｓ３を用いて構成された第３スイッチ装置ＳＳ３の一例を概略的に示している。同図に示すように、この第３スイッチ装置ＳＳ３は、回路基板Ｗ３と、この回路基板Ｗ３上に固定される上記第３押圧操作装置Ｓ３とを備える。
【００６０】
前記回路基板Ｗは、第１押圧スイッチ７２、第２押圧スイッチ７４、第１発光素子７６、第２発光素子７８及びその他の電子部品が実装されたものであり、前記第３押圧操作装置Ｓ３は、前記押圧スイッチ７２、７４を個別に押圧操作するために、当該回路基板Ｗ３の前記押圧スイッチ７２等の実装面側に固定されている。詳しくは、第１ボタン３０Ａの被保持部３６の一部が第１押圧スイッチ７２の操作部６０ｂに、第２ボタン３０Ｂの被保持部３６の一部が第２押圧スイッチ７４の操作部６０ｂにそれぞれ当接し、かつ、第１発光素子７６が第１ボタン３０Ａ側の中空部４８の内側に、第２発光素子７８が第２ボタン３０Ｂ側の中空部４８の内側にそれぞれ位置するように、第３押圧操作装置Ｓ３が当該回路基板Ｗ３に固定されている。
【００６１】
前記押圧スイッチ７２，７４及び発光素子７６，７８は、第２スイッチ装置ＳＳ２の押圧スイッチ６６及び発光素子６８と同等のものであり、例えば第１押圧スイッチ７２の操作部６０ｂが押圧操作されることにより第１発光素子７６が発光し、第２押圧スイッチ７４の操作部６０ｂが押圧操作されることにより第２発光素子７８が発光するように回路基板Ｗ３上に実装されている。
【００６２】
このような第３スイッチ装置ＳＳ３では、前記第１ボタン３０Ａが押圧されると、その被保持部３６が第１押圧スイッチ７２の操作部６０ｂを押圧し、当該第１押圧スイッチ７２に操作信号を出力させるとともに、当該操作信号出力している間、前記第１発光素子７６が発光する。この発光素子７６の光は、導光部材３５を介して第１ボタン３０Ａのボタン本体部３２の前面に導光され、これにより第１ボタン３０Ａの操作状況が操作者に表示される。同様に、前記第２ボタン３０Ｂが押圧されると、その被保持部３６が第２押圧スイッチ７４の操作部６０ｂを押圧し、当該第２押圧スイッチ７４に操作信号を出力させるとともに、当該操作信号出力している間、前記第２発光素子７８が発光する。この第２発光素子７８の光は導光部材３５を介して第２ボタン３０Ｂのボタン本体部３２の前面に導光され、これにより第２ボタン３０Ｂの操作状況が操作者に表示される。
【００６３】
以上のような第１〜第３のスイッチ装置ＳＳ１〜ＳＳ３は、例えば以下のような手順により効率的に生産することが可能である。すなわち、押圧操作装置Ｓ１〜Ｓ２の構成部品である上記各ボタン１０、２０、３０Ａ、３０Ｂ、及び前記スイッチケース４０をそれぞれ個別に成形しておき（ボタン製造工程）、スイッチケース４０を共通部品として、当該スイッチケース４０にシーソーボタン１０、押圧ボタン２０及び押圧ボタン３０Ａ，３０Ｂを択一的に組み付けることにより、それぞれ必要数の押圧操作装置Ｓ１〜Ｓ３を製造する（操作装置組立工程）。また、これとは別に、前記回路基板Ｗ１〜Ｗ２を製造する。
【００６４】
そして、回路基板Ｗ１〜Ｗ３に対してそれぞれ対応する押圧操作装置Ｓ１〜Ｓ３を固定することにより、上記の第１〜第３のスイッチ装置ＳＳ１〜ＳＳ３を製造する。
【００６５】
以上のような本発明の上記スイッチケース４０によれば、シーソーボタン１０、単一の押圧ボタン２０及び一対の押圧ボタン３０Ａ，３０Ｂをそれぞれ備えた第１〜第３の押圧操作装置Ｓ１〜Ｓ３を共通のスイッチケース４０を用いて効率良く製造することが可能となる。しかも、このスイッチケース４０は、上記の通りアダプタ等を付加することなくシーソーボタン１０、単一の押圧ボタン２０及び一対の押圧ボタン３０Ａ，３０Ｂの何れをも直接組み付け可能であるため、特定のボタンの組み付けにアダプタを要する従来の種のスイッチケースに比べると、押圧操作装置の組立工数や製造コストを低減させることができる。
【００６６】
なお、以上説明したスイッチケース４０、このスイッチケース４０を用いた押圧操作装置Ｓ１〜Ｓ３およびスイッチ装置ＳＳ１〜ＳＳ３は、本発明に係るスイッチケースおよびその適用例の好ましい例示であって、スイッチケース４０、押圧操作装置Ｓ１〜Ｓ３およびスイッチ装置ＳＳ１〜ＳＳ３の具体的な構成は、本発明の要旨を逸脱しない範囲で適宜変更可能である。
【００６７】
例えば、上述したスイッチケース４０は、枠体４２の内周面に内側に突出するガイドリブ４７を備えており、押圧ボタン２０（被保持部２６）のガイド溝２８に当該ガイドリブ４７が挿入されることにより押圧ボタン２０が当該ガイドリブ４７により押圧操作方向に案内される構成であるが（図９参照）、この関係を逆にしてもよい。すなわち、図１３に示すように、スイッチケース４０の枠体４２の内側面に外向きに凹む溝部４６′を形成、する一方、押圧ボタン２０の被保持部２６の外側面にガイドリブ２８′を形成する。図示を省略するが、この場合には、押圧ボタン３０Ａ，３０Ｂについても、被保持部３６の外側面に、溝部３８の代わりにガイドリブが形成される。このような構成によっても、実施形態のものと同様に、押圧操作に応じて押圧ボタン２０、３０Ａ，３０Ｂをその押圧操作方向に円滑にスライドさせることができる。
【００６８】
また、スイッチケース４０の前記ガイドリブ４７（押圧ボタン２０の溝部２８）は、各第２対向壁部４４ｂのうち軸部４６を中心として互いに対称な位置に形成されているが、図１４に示すように、片側の第２対向壁部４４ｂのガイドリブ４７について非対称な位置にガイドリブ４７を形成するようにしてもよい。この場合、当該ガイドリブ４７に対応するように押圧ボタン２０、３０Ａ，３０Ｂのガイド溝２８，３８が形成される。このような構成によれば、スイッチケース４０に対する押圧ボタン２０等の挿入方向が規制されるため、押圧操作装置Ｓ２、Ｓ３の誤組み立てを防止する上で有利な構成となる。
【００６９】
また、上記実施形態のスイッチケース４０では、スイッチケース４０の枠体４２の内側に軸部４６を形成しているが、図１５に示すように、枠体４２の外側に軸部４６を形成してもよい。この場合、シーソーボタン１０については、ボタン本体部１２の周壁１４に直接軸孔１６ａを形成し、当該軸孔１６ａに軸部４６を挿入することにより、当該シーソーボタン１０をスイッチケース４０により回動可能に支持する。この構成によれば、シーソーボタン１０の周壁１４に被支持部１６としての機能を持たせることができるため、専用の被支持部１６が不要となり、シーソーボタン１０の構造が簡素化される。なお、この場合、押圧ボタン２０（３０Ａ，３０Ｂ）については、被保持部２６（被保持部３６）とボタン本体部２２の周壁２４（ボタン本体部３２の周壁３４）との間隔を広げることで、ボタン本体部２２等と軸部４６との干渉を回避することができる。
【符号の説明】
【００７０】
１０  シーソーボタン
１２  ボタン本体部
１６  被支持部
２０  押圧ボタン
２２  ボタン本体部
２６  被保持部
２７  中間溝
２８、２９  ガイド溝
３０Ａ  第１ボタン
３０Ｂ  第２ボタン
３２  ボタン本体部
３６  被保持部
３８、３９  ガイド溝
４０  スイッチケース
４１  本体枠
４２  枠体
４５  ガイドレール
４６  軸部
４７  ガイドリブ
【図１】
2013012373.tif 000003
【図２】
2013012373.tif 000004
【図３】
2013012373.tif 000005
【図４】
2013012373.tif 000006
【図５】
2013012373.tif 000007
【図６】
2013012373.tif 000008
【図７】
2013012373.tif 000009
【図８】
2013012373.tif 000010
【図９】
2013012373.tif 000011
【図１０】
2013012373.tif 000012
【図１１】
2013012373.tif 000013
【図１２】
2013012373.tif 000014
【図１３】
2013012373.tif 000015
【図１４】
2013012373.tif 000016
【図１５】
2013012373.tif 000017